【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
ビデオデータをコード化する方法であって、前記方法は、
回路で実装されたプロセッサが、前記ビデオデータを含むビットストリームのビットストリームパーティション初期到着時間補足強化情報（ＳＥＩ）メッセージのネットワーク抽象化レイヤ（ＮＡＬ）初期到着遅延シンタックス要素をコード化すべきかどうかを、ＮＡＬ仮想参照デコーダ（ＨＲＤ）パラメータが前記ビットストリームのためにコード化されるかどうかに基づいて決定することと、
前記プロセッサが、前記ＮＡＬ初期到着遅延シンタックス要素をコード化すべきかどうかを決定することとは関係なく、前記ビデオデータを含む前記ビットストリームの前記ビットストリームパーティション初期到着時間ＳＥＩメッセージのビデオコード化レイヤ（ＶＣＬ）初期到着遅延シンタックス要素をコード化すべきかどうかを、ＶＣＬ  ＨＲＤパラメータが前記ビットストリームのためにコード化されるかどうかに基づいて決定することと、
前記プロセッサが、前記ビットストリームの前記ビデオデータをコード化することと
を備え、前記ビットストリームの前記ビデオデータをコード化することは、
前記ＮＡＬ初期到着遅延シンタックス要素をコード化すると決定したことに応答して、前記ＮＡＬ初期到着遅延シンタックス要素をコード化することと、
前記ＶＣＬ初期到着遅延シンタックス要素をコード化すると決定したことに応答して、前記ＶＣＬ初期到着遅延シンタックス要素をコード化することと
を備える、方法。
【請求項２】
前記ＶＣＬ初期到着遅延シンタックス要素をコード化すべきかどうかを決定することは、前記ＶＣＬ  ＨＲＤパラメータが前記ビットストリーム中でコード化されるとき、前記ＶＣＬ初期到着遅延シンタックス要素をコード化すると決定することを備える、請求項１に記載の方法。
【請求項３】
前記ＶＣＬ初期到着遅延シンタックス要素をコード化すべきかどうかを決定することは、ＶＣＬ  ＨＲＤ動作のためのバッファリング期間情報が前記ビットストリーム中で必要とされると決定されたとき、前記ＶＣＬ初期到着遅延シンタックス要素をコード化すると決定することを備える、請求項２に記載の方法。
【請求項４】
前記ＶＣＬ初期到着遅延シンタックス要素をコード化すべきかどうかを決定することは、ＶＣＬ  ＨＲＤ動作のためのバッファリング期間情報が前記ビットストリーム中で必要とされると決定されたとき、前記ＶＣＬ初期到着遅延シンタックス要素をコード化すると決定することを備える、請求項１に記載の方法。
【請求項５】
前記ＶＣＬ初期到着遅延シンタックス要素をコード化すべきかどうかを決定することは、前記ＶＣＬ  ＨＲＤパラメータが前記ビットストリーム中でコード化されないとき、及びＶＣＬ  ＨＲＤ動作が前記ビットストリーム中で必要とされないと決定されたとき、前記ＶＣＬ初期到着遅延シンタックス要素をコード化しないと決定することを備える、請求項１に記載の方法。
【請求項６】
前記ＶＣＬ初期到着遅延シンタックス要素をコード化すべきかどうかを決定することは、前記ビットストリームのためのＶｃｌＨｒｄＢｐＰｒｅｓｅｎｔＦｌａｇが真の値を有すると決定したことのみに応答して、前記ＶＣＬ初期到着遅延シンタックス要素をコード化すると決定することを備える、請求項１に記載の方法。
【請求項７】
前記ビットストリームの前記ビデオデータをコード化することは、前記ビットストリームの前記ビデオデータを復号することを備え、前記方法は、前記ＶＣＬ初期到着遅延シンタックス要素をコード化すると決定したことに応答して、前記プロセッサが、前記ＶＣＬ初期到着遅延シンタックス要素を使用して前記復号ビデオデータを処理することを更に備える、請求項１に記載の方法。
【請求項８】
前記ビットストリームの前記ビデオデータをコード化することは、前記ビットストリームの前記ビデオデータを符号化することを備え、前記方法は、前記ＶＣＬ初期到着遅延シンタックス要素をコード化すると決定したことに応答して、前記プロセッサが、前記ＶＣＬ初期到着遅延シンタックス要素を使用して前記ビデオデータを処理することを更に備える、請求項１に記載の方法。
【請求項９】
前記方法が、ワイヤレス通信機器上で実行可能であり、前記ワイヤレス通信機器が、
前記ビットストリームパーティション初期到着時間ＳＥＩメッセージを記憶するように構成されたメモリと、
前記プロセッサと、前記プロセッサは、前記メモリに記憶された前記ビットストリームパーティション初期到着時間ＳＥＩメッセージを処理するための命令を実行するように構成された、
前記ビットストリームと前記ビットストリームパーティション初期到着時間ＳＥＩメッセージとを含む信号を受信するための受信機と
を備える、請求項１に記載の方法。
【請求項１０】
前記ワイヤレス通信機器がセルラー電話であり、前記信号が、前記受信機によって受信され、セルラー通信規格に従って変調される、請求項９に記載の方法。
【請求項１１】
ビデオデータをコード化するための機器であって、前記機器が、
前記ビデオデータを含むビットストリームのデータを記憶するためのメモリと、
ビデオコーダと
を備え、前記ビデオコーダは、
前記ビットストリームのビットストリームパーティション初期到着時間補足強化情報（ＳＥＩ）メッセージのネットワーク抽象化レイヤ（ＮＡＬ）初期到着遅延シンタックス要素をコード化すべきかどうかを、ＮＡＬ仮想参照デコーダ（ＨＲＤ）パラメータが前記ビットストリームのためにコード化されるかどうかに基づいて決定することと、
前記ＮＡＬ初期到着遅延シンタックス要素をコード化すべきかどうかを決定することとは関係なく、前記ビットストリームの前記ビットストリームパーティション初期到着時間ＳＥＩメッセージのビデオコード化レイヤ（ＶＣＬ）初期到着遅延シンタックス要素をコード化すべきかどうかを、ＶＣＬ  ＨＲＤパラメータが前記ビットストリームのためにコード化されるかどうかに基づいて決定することと、
前記ビットストリームの前記ビデオデータをコード化することと
を行うように構成され、前記ビットストリームの前記ビデオデータをコード化するために、前記ビデオコーダは、
前記ＮＡＬ初期到着遅延シンタックス要素をコード化すると決定したことに応答して、前記ＮＡＬ初期到着遅延シンタックス要素をコード化することと、
前記ＶＣＬ初期到着遅延シンタックス要素をコード化すると決定したことに応答して、前記ＶＣＬ初期到着遅延シンタックス要素をコード化することと
を行うように構成された、機器。
【請求項１２】
前記ビデオコーダは、前記ＶＣＬ  ＨＲＤパラメータが前記ビットストリーム中でコード化されるとき、前記ＶＣＬ初期到着遅延シンタックス要素をコード化するように構成された、請求項１１に記載の機器。
【請求項１３】
前記ビデオコーダは、ＶＣＬ  ＨＲＤ動作のためのバッファリング期間情報が前記ビットストリーム中で必要とされると決定されたとき、前記ＶＣＬ初期到着遅延シンタックス要素をコード化するように構成された、請求項１２に記載の機器。
【請求項１４】
前記ビデオコーダは、ＶＣＬ  ＨＲＤ動作のためのバッファリング期間情報が前記ビットストリーム中で必要とされると決定されたとき、前記ＶＣＬ初期到着遅延シンタックス要素をコード化するように構成された、請求項１１に記載の機器。
【請求項１５】
前記ビデオコーダは、前記ＶＣＬ  ＨＲＤパラメータが前記ビットストリーム中でコード化されないとき、及びＶＣＬ  ＨＲＤ動作が前記ビットストリーム中で必要とされないと決定されたとき、前記ＶＣＬ初期到着遅延シンタックス要素をコード化しないように構成された、請求項１１に記載の機器。
【請求項１６】
前記ビデオコーダは、前記ビットストリームのためのＶｃｌＨｒｄＢｐＰｒｅｓｅｎｔＦｌａｇが真の値を有すると決定したことのみに応答して、前記ＶＣＬ初期到着遅延シンタックス要素をコード化するように構成された、請求項１１に記載の機器。
【請求項１７】
前記ビデオコーダが、ビデオデコーダを備え、前記ビットストリームの前記ビデオデータをコード化するために、前記ビデオデコーダが、前記ビットストリームの前記ビデオデータを復号するように構成され、前記ビデオデコーダが、前記ＶＣＬ初期到着遅延シンタックス要素をコード化すると決定したことに応答して、前記ＶＣＬ初期到着遅延シンタックス要素を使用して前記復号ビデオデータを処理するように更に構成された、請求項１１に記載の機器。
【請求項１８】
前記ビデオコーダが、ビデオエンコーダを備え、前記ビットストリームの前記ビデオデータをコード化するために、前記ビデオエンコーダが、前記ビットストリームの前記ビデオデータを符号化するように構成され、前記ビデオエンコーダが、前記ＶＣＬ初期到着遅延シンタックス要素をコード化すると決定したことに応答して、前記ＶＣＬ初期到着遅延シンタックス要素を使用して前記ビデオデータを処理するように更に構成された、請求項１１に記載の機器。
【請求項１９】
前記機器がワイヤレス通信機器であり、前記ビットストリームと前記ビットストリームパーティション初期到着時間ＳＥＩメッセージとを含む信号を受信するように構成された受信機を更に備える、請求項１１に記載の機器。
【請求項２０】
前記ワイヤレス通信機器がセルラー電話であり、前記信号が、前記受信機によって受信され、セルラー通信規格に従って変調される、請求項１９に記載の機器。
【請求項２１】
ビデオデータをコード化するための機器であって、前記機器は、
前記ビデオデータを含むビットストリームのビットストリームパーティション初期到着時間補足強化情報（ＳＥＩ）メッセージのネットワーク抽象化レイヤ（ＮＡＬ）初期到着遅延シンタックス要素をコード化すべきかどうかを、ＮＡＬ仮想参照デコーダ（ＨＲＤ）パラメータが前記ビットストリームのためにコード化されるかどうかに基づいて決定するための手段と、
前記ＮＡＬ初期到着遅延シンタックス要素をコード化すべきかどうかを決定することとは関係なく、前記ビデオデータを含む前記ビットストリームの前記ビットストリームパーティション初期到着時間ＳＥＩメッセージのビデオコード化レイヤ（ＶＣＬ）初期到着遅延シンタックス要素をコード化すべきかどうかを、ＶＣＬ  ＨＲＤパラメータが前記ビットストリームのためにコード化されるかどうかに基づいて決定するための手段と、
前記ビットストリームの前記ビデオデータをコード化するための手段と
を備え、前記ビットストリームの前記ビデオデータをコード化するための前記手段は、
前記ＮＡＬ初期到着遅延シンタックス要素をコード化すると決定したことに応答して、前記ＮＡＬ初期到着遅延シンタックス要素をコード化するための手段と、
前記ＶＣＬ初期到着遅延シンタックス要素をコード化すると決定したことに応答して、前記ＶＣＬ初期到着遅延シンタックス要素をコード化するための手段と
を備える機器。
【請求項２２】
前記ＶＣＬ初期到着遅延シンタックス要素をコード化すべきかどうかを決定するための前記手段は、前記ＶＣＬ  ＨＲＤパラメータが前記ビットストリーム中でコード化されるとき、前記ＶＣＬ初期到着遅延シンタックス要素をコード化すると決定するための手段を備える、請求項２１に記載の機器。
【請求項２３】
前記ＶＣＬ初期到着遅延シンタックス要素をコード化すべきかどうかを決定するための前記手段は、ＶＣＬ  ＨＲＤ動作のためのバッファリング期間情報が前記ビットストリーム中で必要とされると決定されたとき、前記ＶＣＬ初期到着遅延シンタックス要素をコード化すると決定するための手段を備える、請求項２２に記載の機器。
【請求項２４】
前記ＶＣＬ初期到着遅延シンタックス要素をコード化すべきかどうかを決定するための前記手段は、ＶＣＬ  ＨＲＤ動作のためのバッファリング期間情報が前記ビットストリーム中で必要とされると決定されたとき、前記ＶＣＬ初期到着遅延シンタックス要素をコード化すると決定するための手段を備える、請求項２１に記載の機器。
【請求項２５】
前記ＶＣＬ初期到着遅延シンタックス要素をコード化すべきかどうかを決定するための前記手段は、前記ＶＣＬ  ＨＲＤパラメータが前記ビットストリーム中でコード化されないとき、及びＶＣＬ  ＨＲＤ動作が前記ビットストリーム中で必要とされないと決定されたとき、前記ＶＣＬ初期到着遅延シンタックス要素をコード化しないと決定するための手段を備える、請求項２１に記載の機器。
【請求項２６】
前記ＶＣＬ初期到着遅延シンタックス要素をコード化すべきかどうかを決定するための前記手段は、前記ビットストリームのためのＶｃｌＨｒｄＢｐＰｒｅｓｅｎｔＦｌａｇが真の値を有すると決定したことのみに応答して、前記ＶＣＬ初期到着遅延シンタックス要素をコード化すると決定するための手段を備える、請求項２１に記載の機器。
【請求項２７】
実行されたとき、プロセッサに、
ビデオデータを含むビットストリームのビットストリームパーティション初期到着時間補足強化情報（ＳＥＩ）メッセージのネットワーク抽象化レイヤ（ＮＡＬ）初期到着遅延シンタックス要素をコード化すべきかどうかを、ＮＡＬ仮想参照デコーダ（ＨＲＤ）パラメータが前記ビットストリームのためにコード化されるかどうかに基づいて決定することと、
前記ＮＡＬ初期到着遅延シンタックス要素をコード化すべきかどうかを決定することとは関係なく、前記ビデオデータを含む前記ビットストリームの前記ビットストリームパーティション初期到着時間ＳＥＩメッセージのビデオコード化レイヤ（ＶＣＬ）初期到着遅延シンタックス要素をコード化すべきかどうかを、ＶＣＬ  ＨＲＤパラメータが前記ビットストリームのためにコード化されるかどうかに基づいて決定することと、
前記ビットストリームの前記ビデオデータをコード化することと
を行わせる命令を記憶し、前記プロセッサに、前記ビットストリームの前記ビデオデータをコード化させる前記命令は、前記プロセッサに、
前記ＮＡＬ初期到着遅延シンタックス要素をコード化すると決定したことに応答して、前記ＮＡＬ初期到着遅延シンタックス要素をコード化することと、
前記ＶＣＬ初期到着遅延シンタックス要素をコード化すると決定したことに応答して、前記ＶＣＬ初期到着遅延シンタックス要素をコード化することと
を行わせる命令を備える、非一時的コンピュータ可読記憶媒体。
【請求項２８】
前記プロセッサに、前記ＶＣＬ初期到着遅延シンタックス要素をコード化すべきかどうかを決定することを行わせる前記命令は、前記プロセッサに、前記ＶＣＬ  ＨＲＤパラメータが前記ビットストリーム中でコード化されるとき、前記ＶＣＬ初期到着遅延シンタックス要素をコード化すると決定することを行わせる命令を備える、請求項２７に記載の非一時的コンピュータ可読記憶媒体。
【請求項２９】
前記プロセッサに、前記ＶＣＬ初期到着遅延シンタックス要素をコード化すべきかどうかを決定することを行わせる前記命令は、前記プロセッサに、ＶＣＬ  ＨＲＤ動作のためのバッファリング期間情報が前記ビットストリーム中で必要とされると決定されたとき、前記ＶＣＬ初期到着遅延シンタックス要素をコード化すると決定することを行わせる命令を備える、請求項２８に記載の非一時的コンピュータ可読記憶媒体。
【請求項３０】
前記プロセッサに、前記ＶＣＬ初期到着遅延シンタックス要素をコード化すべきかどうかを決定することを行わせる前記命令は、前記プロセッサに、ＶＣＬ  ＨＲＤ動作のためのバッファリング期間情報が前記ビットストリーム中で必要とされると決定されたとき、前記ＶＣＬ初期到着遅延シンタックス要素をコード化すると決定することを行わせる命令を備える、請求項２７に記載の非一時的コンピュータ可読記憶媒体。